(57)【要約】【目的】機械的電気接点が不要で、発光部の自由な交換や配置換えが可能な電飾装置を提供する。【構成】電源と駆動回路を有する給電部１は、偏平箱型の容器である外装体８の底に、板状の磁性体７と、閉ループ状の給電コイル５が交互に引き回されて配設された４本の直線状の配線部Ｌ１〜Ｌ４を有する。Ｅ字形の磁性体の中央に受電コイル１７が巻かれて発光素子１８に接続された発光部１５は、着脱可能に給電部１の任意の位置に嵌め込まれ、配線部間の溝１２に受電コイル１７が挿入される。給電コイルを交流駆動すると受電コイルを挟む１対の配線部に流れる電流が反対向きの場合に発光素子が発光するので、発光部１５を装着する位置によって発光素子の点灯・非点灯が決まる。【選択図】図６
2005224017.tif 000002
【特許請求の範囲】
【請求項１】
磁性体と、前記磁性体に巻装された受電コイルと、前記受電コイルに接続された発光素子を有する発光部と、
基体と、所定間隔をおいて前記基体に並設された複数本の配線部からなる給電コイルと、前記給電コイルに交流駆動信号を与える電源を有する給電部を備え、
前記給電部の隣接する２本の前記配線部の間に前記発光部の前記受電コイルが挟まれるように前記発光部と前記給電部を着脱可能に固定し、
前記受電コイルを間に挟む２本の前記配線部に流れる交流駆動信号の向きが逆又は同一であることにより前記発光素子が点灯又は非点灯となるように構成したことを特徴とする電飾装置。
【請求項２】
前記給電部に対して前記発光部を取り付ける位置を変更することにより、前記発光部の前記受電コイルを挟む前記給電部の隣接する２本の前記配線部を変更し、前記発光部の前記受電コイルに電力が誘起されるか否かを選択して前記発光素子が点灯又は非点灯となるようにしたことを特徴とする請求項１記載の電飾装置。
【請求項３】
前記給電部に前記給電コイルを複数系統設け、各給電コイルに与える交流駆動信号の位相が同位相又は逆位相となるよう選択的に切り替えることにより、
前記発光部の前記受電コイルを挟む前記給電部の隣接する２本の前記配線部を変更することなく、前記給電部に対する前記発光部の取り付け位置を一定としたまま、前記発光部の前記受電コイルに電力が誘起されるか否かを選択して前記発光素子が点灯又は非点灯となるように切り替えることを特徴とする請求項１記載の電飾装置。
【請求項４】
前記給電部は、異なる前記給電コイルに属する前記配線部が隣接するように複数系統の前記給電コイルを交差させて配置することを特徴とする請求項３記載の電飾装置。
【請求項５】
前記給電部は、複数系統の前記給電コイルを交差させずに間隔をおいて配置することを特徴とする請求項３記載の電飾装置。
【請求項６】
前記発光部は、並設された複数系統の前記受電コイルに複数の発光素子がそれぞれ接続されてなることを特徴とする請求項１乃至５記載の電飾装置。
【請求項７】
前記発光部の前記受電コイルが凸状であり、
前記給電部の前記配線部が凸状であり隣接する前記配線部の間が凹状とされ、
前記発光部を前記給電部に取り付けた際には、前記発光部の凸状の前記受電コイルが、前記給電部の隣接ずる前記配線部の間の凹状の部分に勘合することを特徴とする請求項１乃至６記載の電飾装置。
【請求項８】
複数の凹部と該凹部の間に設けられた凸部とを有する磁性体と、前記磁性体の前記凸部に巻装された受電コイルと、前記受電コイルに接続されて前記磁性体の前記凹部とは反対の側に配置された発光素子と、前記磁性体と前記受電コイルと前記発光素子を外装する第１外装体と、前記第１外装体に設けられた第１係合部を有する発光部と、
平坦な形状の磁性体と、所定間隔をおいて前記磁性体上に並設された複数本の配線部からなる給電コイルと、前記磁性体と前記給電コイルを外装するとともに前記配線部に相当する部分に突起部を有し隣接する前記突起部の間の部分に溝部を有する第２外装体と、前記第２外装体に設けられて前記第１係合部と着脱可能に係合する第２係合部を有する給電部を備え、
前記給電部の前記溝部に前記発光部の前記受電コイルが挿入した状態で前記第１係合部と前記第２係合部を係合させて前記発光部を前記給電部に装着し、
前記受電コイルを間に挟む２本の前記配線部に流れる交流駆動信号の向きが逆又は同一であることにより前記発光素子が点灯又は非点灯となるように構成したことを特徴とする電飾装置。
【発明の詳細な説明】
【技術分野】
【０００１】
本発明は、給電コイルに電流を供給して受電コイルに電磁誘導で電力を発生させることにより発光素子を発光駆動する電飾装置に係り、特に受電コイルと発光素子を有する発光部を、給電コイルを備えた給電部に対して所望の配置で取り付ける等の構成により、該発光素子の発光状態（点灯・非点灯又は発光色等）を選択できるようにした電飾装置に関するものである。
【背景技術】
【０００２】
下記特許文献１には、車両用イルミネーション装置の発明が開示されている。
この装置は、赤、緑、青の各色に発光する３つの発光素子からなる発光部と、これらの発光素子を任意の組合せで発光させる駆動回路及び電源と、前記発光部からの光を導く棒体状の導光体を有している。そして、各発光素子が単独で発光した場合の３つの原色と、任意に選択した２つの発光素子の発光色によって得られる３種類の混色と、３つの発光素子の発光色によって得られる白色と、電源ＯＦＦとを任意に選択できるように、前記駆動回路には選択手段としてのロータリースイッチが設けられている。
【特許文献１】特開２００３−３３７５５７号公報
【発明の開示】
【発明が解決しようとする課題】
【０００３】
前述した車両用イルミネーション装置も含めた従来の電飾装置では、その使用目的が証明・装飾・案内・表示等であれば、使用者の好みに応じて発光色や発光位置を変更したい場合が往々にして発生しうるが、従来電飾素子へ電力を供給する手段としてはコネクター・ソケット・半田付け等のように機械的接触を介して発光素子と電源を接続する物が一般的であり、発光素子は電飾装置中に作り込まれているため発光箇所数やその発光色は製品完成時にすでに決定されたものであって、信頼性や感電の恐れ等を考慮すると、使用者が容易には着脱・付加・変更することができない場合が多かった。
【０００４】
そこで、本発明は、電気接点としてコネクター等の機械的接続手段を用いる必要がなく、発光部の自由な交換や配置換えを可能とした発光装飾効果についての自由度が高い電飾装置を提供することを目的としている。
【課題を解決するための手段】
【０００５】
請求項１に記載された電飾装置は、
磁性体と、前記磁性体に巻装された受電コイルと、前記受電コイルに接続された発光素子を有する発光部と、
基体と、所定間隔をおいて前記基体に並設された複数本の配線部からなる給電コイルと、前記給電コイルに交流駆動信号を与える電源を有する給電部を備え、
前記給電部の隣接する２本の前記配線部の間に前記発光部の前記受電コイルが挟まれるように前記発光部と前記給電部を着脱可能に固定し、
前記受電コイルを間に挟む２本の前記配線部に流れる交流駆動信号の向きが逆又は同一であることにより前記発光素子が点灯又は非点灯となるように構成したことを特徴としている。
【０００６】
請求項２に記載された電飾装置は、請求項１記載の電飾装置において、
前記給電部に対して前記発光部を取り付ける位置を変更することにより、前記発光部の前記受電コイルを挟む前記給電部の隣接する２本の前記配線部を変更し、前記発光部の前記受電コイルに電力が誘起されるか否かを選択して前記発光素子が点灯又は非点灯となるようにしたことを特徴としている。
【０００７】
請求項３に記載された電飾装置は、請求項１記載の電飾装置において、
前記給電部に前記給電コイルを複数系統設け、各給電コイルに与える交流駆動信号の位相が同位相又は逆位相となるよう選択的に切り替えることにより、
前記発光部の前記受電コイルを挟む前記給電部の隣接する２本の前記配線部を変更することなく、前記給電部に対する前記発光部の取り付け位置を一定としたまま、前記発光部の前記受電コイルに電力が誘起されるか否かを選択して前記発光素子が点灯又は非点灯となるように切り替えることを特徴としている。
【０００８】
請求項４に記載された電飾装置は、請求項３記載の電飾装置において、
前記給電部は、異なる前記給電コイルに属する前記配線部が隣接するように複数系統の前記給電コイルを交差させて配置することを特徴としている。
【０００９】
請求項５に記載された電飾装置は、請求項３記載の電飾装置において、
前記給電部は、複数系統の前記給電コイルを交差させずに間隔をおいて配置することを特徴としている。
【００１０】
請求項６に記載された電飾装置は、請求項１乃至５記載の電飾装置において、
前記発光部は、並設された複数系統の前記受電コイルに複数の発光素子がそれぞれ接続されてなることを特徴としている。
【００１１】
請求項７に記載された電飾装置は、請求項１乃至６記載の電飾装置において、
前記発光部の前記受電コイルが凸状であり、
前記給電部の前記配線部が凸状であり隣接する前記配線部の間が凹状とされ、
前記発光部を前記給電部に取り付けた際には、前記発光部の凸状の前記受電コイルが、前記給電部の隣接ずる前記配線部の間の凹状の部分に勘合することを特徴としている。
【００１２】
請求項８に記載された電飾装置は、
複数の凹部と該凹部の間に設けられた凸部とを有する磁性体と、前記磁性体の前記凸部に巻装された受電コイルと、前記受電コイルに接続されて前記磁性体の前記凹部とは反対の側に配置された発光素子と、前記磁性体と前記受電コイルと前記発光素子を外装する第１外装体と、前記第１外装体に設けられた第１係合部を有する発光部と、
平坦な形状の磁性体と、所定間隔をおいて前記磁性体上に並設された複数本の配線部からなる給電コイルと、前記磁性体と前記給電コイルを外装するとともに前記配線部に相当する部分に突起部を有し隣接する前記突起部の間の部分に溝部を有する第２外装体と、前記第２外装体に設けられて前記第１係合部と着脱可能に係合する第２係合部を有する給電部を備え、
前記給電部の前記溝部に前記発光部の前記受電コイルが挿入した状態で前記第１係合部と前記第２係合部を係合させて前記発光部を前記給電部に装着し、
前記受電コイルを間に挟む２本の前記配線部に流れる交流駆動信号の向きが逆又は同一であることにより前記発光素子が点灯又は非点灯となるように構成したことを特徴としている。
【発明の効果】
【００１３】
請求項１に記載された電飾装置によれば、
前記給電部の隣接する２本の前記配線部の間に前記発光部の前記受電コイルが挟まれるように前記発光部と前記給電部を着脱可能に固定することができ、その場合に前記２本の配線部に流れる交流駆動信号の向きが逆であれば前記発光素子が点灯し、前記２本の配線部に流れる交流駆動信号の向きが同一であれば前記発光素子が非点灯となるので、前記受電コイルに関する２本の配線部の電流の向きを上述の何れかに設定することにより発光素子の発光状態を種々に変更・設定することができる。
【００１４】
請求項２に記載された電飾装置によれば、請求項１記載の電飾装置の効果において、
特に、給電部に対する発光部の取り付け位置や向きを変えることにより、前記受電コイルを挟む２本の配線部の電流の向きを同一又は逆に設定できるので、前記発光素子の発光状態を種々に変更・設定することができる。
【００１５】
請求項３に記載された電飾装置によれば、請求項１記載の電飾装置の効果において、
特に、各給電コイルに与える交流駆動信号の位相が同位相又は逆位相となるよう選択的に切り替えれば、前記受電コイルを挟む２本の配線部の電流の向きを同一又は逆に設定できるので、前記給電部に対する前記発光部の取り付け位置を一定としたままで、また給電部に対する発光部の取り付け位置や向きを変えた場合においても、前記発光部の前記受電コイルに電力が誘起されるか否かを選択して前記発光素子が点灯又は非点灯となるように切り替えることができる。
【００１６】
請求項４に記載された電飾装置によれば、請求項３記載の電飾装置の効果において、
各給電コイルに与える交流駆動信号の位相が同位相又は逆位相となるよう選択的に切り替えれば、前記受電コイルを挟む２本の配線部の電流の向きを同一又は逆に交互に設定され、前記発光素子の点灯又は非点灯を交互に切り替えることができる。
【００１７】
請求項５に記載された電飾装置によれば、請求項３記載の電飾装置の効果において、
各給電コイルに与える交流駆動信号の位相が同位相又は逆位相となるよう選択的に切り替えれば、前記受電コイルを挟む２本の配線部の電流の向きを、少なくとも一部において同一又は逆に設定することができるので、当該部分においては前記発光素子の点灯又は非点灯を切り替えることができる。
【００１８】
請求項６に記載された電飾装置によれば、請求項１乃至５記載の電飾装置の効果において、
複数の発光素子を有する発光部の給電部に対する取り付け位置や向き、複数の給電コイルに対する交流駆動信号の位相の切り替え等によって、発光素子の点灯又は非点灯、そして発光する発光素子の発光色を切り替えることができ、視覚効果がさらに高まる。
【００１９】
請求項７に記載された電飾装置によれば、請求項１乃至６記載の電飾装置の効果において、
前記発光部の受電コイルを、前記給電部の隣接する配線部の間の凹状の部分に勘合することができるので、前記発光部の前記給電部に対する取り付けが確実になり、給電コイルと受電コイルの電磁結合を安定させ、給電状態を安定的に保持することができる。
【００２０】
請求項８に記載された電飾装置によれば、
受電コイルが設けられた磁性体の凸部を給電部の溝部に勘合させた状態で、発光部の第１係合部を給電部の第２係合部に係合させれば、発光部は給電部に確実に取り付けられて発光部への給電状態は確実に保持される。また、第１及び第２係合部による係合を外して発光部を給電部から取り外し、他の位置に再度取り付ければ、発光部の発光状態を容易に変更（発光・非発光の選択、発光位置や発光色の変更）することができる。また受電コイルを間に挟む２本の配線部に流れる交流駆動信号の向きを逆又は同一に変更することによっても発光部の発光状態を変更することができる。
【発明を実施するための最良の形態】
【００２１】
以下、本発明を実施するために特許出願人が出願時点で最良と思う本発明の実施の形態を図１〜図１２を参照して説明する。
（１）第１の実施の形態（図１〜図６）
図１は本例の電飾装置の給電部の構成を示す回路図であり、図２は本例の電飾装置の発光部の構成を示す回路図であり、図３は本例の電飾装置の発光部の構成を示す斜視図であり、図４は本例の電飾装置における給電部と発光部の配置関係を示す斜視図であり、図５は本例の電飾装置の動作時における給電部及び発光部の各部の波形を示す波形図であり、図６は本例の電飾装置における給電部と発光部を組み合わせた上体を示す断面図である。
【００２２】
本例の電飾装置は、電源と単一系統の給電コイルを備えた給電部と、受電コイルと発光素子を備えた発光部（必要な個数を用意して使用する）とからなり、発光部を給電部に対して所定の位置関係となるように配置することで給電コイルと受電コイルが電磁結合の状態となり、発光素子に電力が供給されて発光するというものである。すなわち、給電部に対して発光部を取り付ける位置を変更することにより、発光部の受電コイルと給電部の給電コイルの位置関係を変更し、受電コイルに電力が誘起されるか否かを選択して発光素子が点灯又は非点灯となるようにしたものである。
【００２３】
図１に示すように、給電部１は、電源２（電源回路もしくは電池）と、駆動信号の基準となる信号を発生する発振回路３と、必要に応じて発振回路３からの信号をもとに駆動信号に変換する分周回路４と、分周回路４からの信号により給電コイル５を交流駆動する駆動回路６と、駆動回路６に接続された１系統の給電コイル５とを備えており、これらの回路構成により給電コイル５は数ｋＨｚ〜数十ｋＨｚの交流にて駆動される。
【００２４】
この給電コイル５は、図１に示すように駆動回路６に両端を接続された閉ループ状の１系統のコイルであり、交互に引き回し方向を変えつつ配設されることで４本の直線状の配線部Ｌ１〜Ｌ４が互いに平行となるように構成され、これら並設された４本の配線部の順番を図１に示すように順にＬ１，Ｌ２，Ｌ３，Ｌ４とすると、そこに流れる電流の向きがＬ１とＬ２では常に反対向きになり、Ｌ２とＬ３では常に同じ向きになり、Ｌ３とＬ４では常に反対向きになるように構成されている。
【００２５】
図６にさらに具体的に示すように、給電部１では、平坦な板状の磁性体７の上に、前記給電コイル５の４本の配線部Ｌ１，Ｌ２，Ｌ３，Ｌ４が配置されており、これらが樹脂等からなる外装体８によって一体に成型されて基体を構成している。この外装体８は配線部Ｌ１，Ｌ２，Ｌ３，Ｌ４の配設方向に沿う長手形状であって、その上面側が開口した偏平箱型の容器状の基体であり、平坦な底板部９と該底板部９の両側に立ち上がった側壁１０，１０とを有している。そして、前記配線部Ｌ１，Ｌ２，Ｌ３，Ｌ４は底板部９に配置されており、図示の例では配線部Ｌ１，Ｌ２，Ｌ３に相当する部分に断面角形の突起部１１を有し、隣接する前記突起部１１，１１の間の部分は溝部１２となっている。なお、本例では配線部Ｌ４は一方の側壁１０内に埋め込まれた構造になっており、この一方の側壁１０と突起部１１の間も溝部１２となっている。また、外装体の２つの側壁１０，１０の上部内面には、後述する発光部を着脱可能に係合するための係合部として係合凹部１３が長手方向に沿って形成されている。
【００２６】
図２に示すように、発光部１５は、磁性体１６と、該磁性体１６に巻装された受電コイル１７と、該受電コイル１７に接続されたＬＥＤ等の発光素子１８を２個有しており、受電コイル１７に発生した誘導電流によって発光素子１８が発光するものである。
【００２７】
図３及び図６にさらに具体的に示すように、発光部１５の磁性体は、３つの凸部１９とそれらの間に設けられた２つの凹部２０を有する略Ｅ字状のブロックであり、その凸部１９と凹部２０の並び方向についての長さは、前記給電部１に取り付けた場合、前記給電部１の長手方向と直交する方向について２つの突起部１１，１１を覆いうる程度とされている。そして、前記受電コイル１７は中央の凸部１９に巻装されており、前記磁性体１６の前記凹部２０とは反対の背面側にはプリント基板２１が取り付けられ、該プリント基板２１に前記発光素子１８が配置されて受電コイル１７に接続されている。なお、プリント基板２１は磁性体１６の背面よりも大きく、その一端縁側は磁性体１６の外形から外方に突出しており、２個の発光素子１８，１８はプリント基板２１に均等に配置されているので一方の発光素子１８は磁性体１６の外側に位置している。そして、これらの構成部品は樹脂等からなる外装体２２によって一体に成型されている。
【００２８】
図６に示すように、前記給電部１の長手方向と直交する方向に関する前記発光部１５の磁性体１６の幅は、前記給電部１の外装体８の開口の幅よりも小さいが、発光部１５の外装体２２の同方向についての幅は、前記給電部１の外装体８の開口と略同じであり、その幅方向の両端にはそれぞれ係合凸部２３が設けられ、前記給電部１の外装体の側壁１０に設けられた係合凹部１３に着脱可能に係合できるように構成されている。
【００２９】
図６に示すように、以上説明した発光部１５を給電部１の開口内に差し込み、給電部１の溝部１２に発光部１５の受電コイル１７の部分を挿入し、この状態で係合凸部２３を係合凹部１３に係合させれば、前記発光部１５は前記給電部１に装着固定される。
【００３０】
図４は、２つの発光部１５Ａ，１５Ｂを給電部１に対して異なる配置で装着し、各発光部１５Ａ，１５Ｂの各受電コイル１７，１７が給電コイル５の異なる配線部間に挿入された状態を示している。ここで給電コイル５を図５（１）に示すような交流の駆動波形で駆動すれば、一方の発光部１５Ａの受電コイル１７は流れる電流の向きが常に反対向きである配線部Ｌ１，Ｌ２に挟まれているので誘導電流が発生して発光素子１８は点灯する。しかし、他方の発光部１５Ｂの受電コイル１７は流れる電流の向きが常に同じ向きである配線部Ｌ２，Ｌ３に挟まれているので、誘導電流が発生せず発光素子１８は点灯しない。
【００３１】
すなわち、給電部１に取り付けた発光部１５の発光素子１８が発光するかしないかは、発光部１５の受電コイル１７が給電コイル５のいずれの配線部の間に挿入されるかによって決まるので、給電部１に対する発光部１５の装着姿勢を任意に定めて発光素子１８の発光状態（点灯又は非点灯）を定めることができる。
【００３２】
また、発光部１５と給電部１は係合凹部１３と係合凸部１９によって一体に組み合わされているので、発光部１５を指でつまんで引き上げれば係合凹部１３と係合凸部１９の係合は簡単に外れ、発光部１５を給電部１から外すことができ、簡単に異なる位置に付け替えることができる。
【００３３】
（２）第２の実施の形態（図７、図８）
図７は本例の電飾装置の給電部１’の構成を示す回路図であり、図８は本例の電飾装置の動作時における給電部１’及び発光部１５の各部の波形を示す波形図である。
【００３４】
本例の電飾装置は、共通の電源２と２系統の給電コイル５’，５”を備えた給電部１’と、第１の例と同一構成の発光部１５（必要な個数を用意して使用する）とからなり、給電部１’に対して発光部１５を取り付ける位置を変更することにより、発光部１５の受電コイル１７と給電部１’の給電コイル５’，５”の位置関係を変更し、受電コイル１７に電力が誘起されるか否かを選択して発光素子１８が点灯又は非点灯となるようにし、又は給電部１’に対する発光部１５’，１５”の取り付け位置を一定としたまま、給電コイル５’，５”の駆動を変更し、発光部１５の受電コイル１７に電力が誘起されるか否かを選択して発光素子１８が点灯又は非点灯となるように切り替えるものである。
【００３５】
図７に示すように、給電部１’は、共通の電源２（電源２回路もしくは電池）と、駆動信号の基準となる信号を発生する発振回路３と、必要に応じて発振回路３からの信号をもとに駆動信号に変換する分周回路４と、分周回路４からの信号により制御信号を出力する制御回路２５と、制御回路２５に制御されて第１の給電コイル５’を駆動する第１の駆動回路６’と、制御回路２５に制御されて第２の給電コイル５”を駆動する第２の駆動回路６”とを備えている。
【００３６】
この２系統の給電コイル５’，５”は、図７に示すようにそれぞれ各駆動回路６’，６”に両端を接続された閉ループ状のコイルであり、交差させて配置することにより、異なる給電コイル５’，５”に属する配線部が交互に隣接し、所定間隔をおいて互いに平行となるように配置される。
【００３７】
従って、４本の直線状の配線部を順にＬ１，Ｌ２，Ｌ３，Ｌ４とすると、２系統の給電コイル５’，５”を逆位相の交流で駆動した場合には、配線部Ｌ１，Ｌ２，Ｌ３，Ｌ４に流れる電流の向きがＬ１とＬ２では常に反対向きになり、Ｌ２とＬ３では常に同じ向きになり、Ｌ３とＬ４では常に反対向きになる。また、２系統の給電コイル５’，５”を同位相の交流で駆動した場合には、配線部Ｌ１，Ｌ２，Ｌ３，Ｌ４に流れる電流の向きがＬ１とＬ２では常に同じ向きになり、Ｌ２とＬ３では常に反対向きになり、Ｌ３とＬ４では常に同じ向きになる。
【００３８】
図７に示すように発光部１５を配線部Ｌ１，Ｌ２間と配線部Ｌ２，Ｌ３間にそれぞれ設けた場合において（すなわち合計２個）、図８に示すように駆動した場合を説明する。
図８のタイミング図の前半に示すように、第１の駆動回路６’が第１の給電コイル５’に与える駆動信号の位相と、第２の駆動回路６”が第２の給電コイル５”に与える駆動信号の位相とを逆にすると、第１の発光部１５Ａの受電コイル１７には誘導電流が発生して発光素子１８は発光するが、第２の発光部１５Ｂの受電コイル１７には誘導電流が発生せず発光素子１８は発光しない。
【００３９】
逆に、図８のタイミング図の後半に示すように、制御回路２５による制御を切り替え、第１の駆動回路６’が第１の給電コイル５’に与える駆動信号の位相と、第２の駆動回路６”が第２の給電コイル５”に与える駆動信号の位相を同じにすると、第１の発光部１５Ａの受電コイル１７には誘導電流が発生せず発光素子１８は発光しないが、第２の発光部１５Ｂの受電コイル１７には誘導電流が発生して発光素子１８は発光する。
【００４０】
このように、電磁誘導の条件が異なる給電部１’の２つの位置に２個の発光部１５Ａ，１５Ｂを設けた場合、２系統の給電コイル５’，５”に与える交流の位相を同じにするか異なることとするか選択することにより、いずれの発光部１５Ａ又は１５Ｂの発光素子１８が発光するかしないかを定めることができる。すなわち、給電部１’に取り付けた発光部１５Ａ，１５Ｂの位置を移動させることなく、制御回路２５における駆動回路６’，６”の制御を変更するだけで発光素子１８の発光状態を変更することができる。もちろん、第１の例と同様、２系統の給電コイル５’，５”に与える交流の位相の異同を一定に固定しておき、給電部１’に対する発光部１５Ａ，１５Ｂの装着位置によって発光素子１８の発光状態を定めることもできる。また、制御回路２５による上述した制御の切り替えを高速に行うことで、２つの発光部１５Ａ，１５Ｂの発光素子１８が同時に点灯しているように駆動することもできる。
【００４１】
なお、本例では、発光部１５を取り付ける位置として配線部Ｌ３，Ｌ４間の位置については取り上げなかったが、上記説明から分かるように配線部Ｌ３，Ｌ４間に受電コイル１７が配されるように給電部１’に取り付けた発光部１５は、上記本例の説明における配線部Ｌ１，Ｌ２間に取り付けた発光部１５Ａと電磁誘導の面では同一条件となるので、上の説明に準じて利用することができる。
なお、その他の作用・効果については第１の例と略同様に考えることができる。また、第１の例と同様の構成部分には第１の例と同一の符号を付して説明を省略する。
【００４２】
また、本例では、互いに独立して駆動される２系統の給電コイルを一部重ねた状態に配置したが、本例のような複数系統の給電コイルを交差させずに適当な間隔をおいて各配線部が平行となるように配置する構成としてもよい。このように構成した場合、各給電コイルに与える交流駆動信号の位相が同位相又は逆位相となるよう選択的に切り替えれば、前記受電コイルを挟む２本の配線部の電流の向きを、少なくとも一部において同一又は逆に設定することができるので、当該部分においては前記発光素子の点灯又は非点灯を切り替えることができる。
【００４３】
（３）第３の実施の形態（図９〜図１2 ）
図９は本例の電飾装置の給電部１の構成を示す回路図であり、図１０は本例の電飾装置の発光部１５の構成を示す斜視図であり、図１１は本例の電飾装置の動作時における給電部１及び発光部１５の各部の波形を示す波形図であり、図１２は本例の電飾装置における給電部１と発光部１５を組み合わせた状態を示す断面図である。
【００４４】
本例の給電部１”は第１の例と概ね同一であるが、給電コイル５’の構成が異なる。この給電コイル５’は、図９に示すように駆動回路６に両端を接続された閉ループ状の１系統のコイルである点においては、第１の例の給電コイル５と同一であるが、一対の配線部Ｌ１，Ｌ２が所定間隔で平行に配置された１周のループ状に構成されており交差していない点では第１の例の給電コイル５と異なり、第２の例の一つの給電コイル５’と同様である。従って、配線部Ｌ１、Ｌ２に流れる電流は常に反対向きになる。
【００４５】
図１２にさらに具体的に示すように、この給電部１”は、前記配線部Ｌ１，Ｌ２は一方の側壁１０に近接した底板部９の略半部に設けられ、外装体８の突起部１１内に収納されている。他方の側壁１０に近接した底板部９の他方の略半部は平板状になっている。その他の構成は第１の例と実質的に同一であり、第１の例と対応する部分には第１の例と同一の符号を付して説明を省略する。
【００４６】
図１０に示すように、本例の発光部１５’は、第１の例の発光部１５を２個組み合わせた構成である。すなわち、２個の略Ｅ字形の磁性体１６，１６が凸部１９と溝部２０の並び方向について結合されており、各磁性体１６，１６の各中央の凸部１９，１９にはそれぞれ受電コイル１７，１７が巻装され、２個の磁性体１６，１６の背面側に取り付けられた共通のプリント基板２１’には各受電コイル１７，１７に接続された２個ずつの発光素子１８（ＬＥＤ）が設けられており、各受電コイル１７に発生した誘導電流によって各２個の発光素子１８が発光するものである。なお、本例では、受電コイル１７ごとに接続される発光素子１８の発光色を異なるものとしている。例えば、第１の受電コイル１７には赤色の発光素子１８を接続し、第２の受電コイル１７には青色の発光素子１８を接続し、後述するように発光素子１８の取り付け方向によって発光色を選択できるようにしている。
【００４７】
図１２に示すように、前記給電部１の配線部Ｌ１，Ｌ２と直交する方向に関する前記受光部１５’の磁性体１６の２個分の幅は、前記給電部１”の外装体８の開口の幅よりもやや小さいが、発光部１５’の外装体２２’の同方向についての幅は、前記給電部１”の外装体８の開口と略同じであり、その幅方向の両端にはそれぞれ係合凸部２３が設けられ、前記給電部１”の外装体８の側壁１０に設けられた係合凹部１３に着脱可能に係合できるように構成されている。
【００４８】
従って、図１２に示すように、発光部１５’を給電部１”の外装体８の開口内に差し込み、給電部１”の溝部１２に発光部１５’の一方の受電コイル１７を挿入し、この状態で係合凸部２３を係合凹部１３に係合させれば、前記発光部１５’は前記給電部１”に装着固定され、一方の受電コイル１７に接続された一方の発光素子１８に誘導電流が供給されうる状態となる。これとは逆に、発光部１５’を１８０°回転させた姿勢で給電部１”の外装体８の開口内に差し込み、給電部１”の溝部１２に発光部１５’の他方の受電コイル１７を挿入して固定すれば、他方の受電コイル１７に接続された他方の発光素子１８に誘導電流が供給されうる状態となる。
【００４９】
図１２に示すように、第１の受電コイル１７Ａが給電部１”の溝部１２に挿入されるように発光部１５’を給電部１”に取り付け、図１１の（１）に示すように給電コイル５’を所定の交流駆動信号で駆動すると、第１の受電コイル１７Ａに誘導電流が発生して第１の発光素子１８のみが赤色発光する。駆動回路６による駆動状態は変えず、発光部１５’を取り外して１８０°逆向きにして給電部１に再度取り付けると、第２の受電コイル１７Ｂが給電コイル５’の溝部１２に挿入されて第２の受電コイル１７Ｂに誘導電流が発生し、今度は第１の発光素子１８は点灯せずに第２の発光素子１８のみが青色発光する。発光部１５’を給電部１から取り外せばいずれの発光素子１８も発光しない。
【００５０】
このように本例では、２つの受電コイル１７Ａ，１７Ｂごとに接続される発光素子１８の発光色を異なるものとしているので、給電部１”の駆動を変えずとも、発光部１５’の取り付け方向を変えるだけで発光色を選択することができる。なお、その他の作用・効果については第１乃至第２の例と略同様に考えることができる。
【００５１】
以上説明した本発明の実施形態に係る電飾装置によれば、機械的電気接点が不要であり、発光素子の配置、点灯・非点灯、発光した場合の色彩等、種々の発光条件を任意に設定したいとの要望が存するあらゆる分野において発光部の自由な交換や配置換え等を可能として電飾効果を向上させることができる。その用途は特に限定しないが、仮に一例を挙げれば、建物内の通行部分に設けるステップライト等の照明や壁面に設ける誘導灯、乗物内の通行部分に設ける非常用の案内照明乃至誘導灯、道路の走行面等に設ける案内灯等の照明等として有効に用いることができる。
また、特に上述のような用途において、発光部を嵌め込んだ給電部を取り付け面に設ける際には、給電部の外装体の開口と発光部の発光素子の発光面とが前記取り付け面に一致するように給電部を取り付け面中に埋め込み、給電部の発光部がない部分は別の蓋体で覆うようにすれば、見映えがよく、故障もしにくく、扱いに便利であるという特有の効果も得られる。
【図面の簡単な説明】
【００５２】
【図１】図１は本発明の実施の形態の第１の例である電飾装置の給電部の構成を示す回路図である。
【図２】図２は同第１の例の電飾装置の発光部の構成を示す回路図である。
【図３】図３は同第１の例の電飾装置の発光部の構成を示す斜視図である。
【図４】図４は同第１の例の電飾装置における給電部と発光部の配置関係を示す斜視図である。
【図５】図５は同第１の例の電飾装置の動作時における給電部及び発光部の各部の波形を示す波形図である。
【図６】図６は同第１の例の電飾装置における給電部と発光部を組み合わせた上体を示す断面図である。
【図７】図７は本発明の実施の形態の第２の例である電飾装置の給電部の構成を示す回路図である。
【図８】図８は同第２の例の電飾装置の動作時における給電部及び発光部の各部の波形を示す波形図である。
【図９】図９は本発明の実施の形態の第３の例である電飾装置の給電部の構成を示す回路図である。
【図１０】図１０は同第３の例の電飾装置の発光部の構成を示す斜視図である。
【図１１】図１１は同第３の例の電飾装置の動作時における給電部及び発光部の各部の波形を示す波形図である。
【図１２】図１２は同第３の例の電飾装置における給電部と発光部を組み合わせた状態を示す断面図である。
【符号の説明】
【００５３】
１，１’，１”…給電部
２…電源
５，５’，５”…給電コイル
６，６’，６”…駆動回路
８…外装体
１３…係合凹部
１５，１５Ａ，１５Ｂ，１５’…発光部
１６…磁性体
１７，１７Ａ，１７Ｂ…受電コイル
１８…発光素子
１９…凸部
２０…凹部
２２，２２’…外装体
２３…係合凸部
２５…制御回路
【図１】
2005224017.tif 000003
【図２】
2005224017.tif 000004
【図３】
2005224017.tif 000005
【図４】
2005224017.tif 000006
【図５】
2005224017.tif 000007
【図６】
2005224017.tif 000008
【図７】
2005224017.tif 000009
【図８】
2005224017.tif 000010
【図９】
2005224017.tif 000011
【図１０】
2005224017.tif 000012
【図１１】
2005224017.tif 000013
【図１２】
2005224017.tif 000014